(57)【特許請求の範囲】
【請求項１】
矩形状の底板と、底板の上方に配置した上枠と、底板と上枠との間の長辺側に配置した一対の長側板と、底板と上枠との間の短辺側に配置した一対の短側板とを具備し、短側板の上端を上枠に回動自在に連結して短側板を起倒自在とし、長側板を上半分の上長側板と下半分の下長側板とで構成して上長側板の上端を上枠に回動自在に連結すると共に、下長側板の下端を底板に回動自在に連結し、上長側板の下端と上端とを回動自在に連結してなる折り畳み容器において、短側板には横方向に所定間隔をあけて穿孔された一対の切り欠きにより互いに対向する一対の嵌め込み凸片が形成されていると共に、嵌め込み凸片の先端側が基端側よりも互いに対向する方向に向かって凸状に突出しており、容器の収納空間を仕切るための折り畳み自在な仕切り部材には可撓性を有する取付け板が一体に設けられていると共にこの取付け板には取付け板の折り曲げ状態で短側板の内側から上記短側板の切り欠きを通して一対の嵌め込み凸片の外面に各々引掛け係止可能となった一対の引掛け係止片が設けられており、一対の引掛け係止片の先端間の距離は前記短側板に設けた一対の嵌め込み凸片の先端間の最短距離よりも長く設定されており、一対の引掛け係止片を折り曲げながら一対の嵌め込み凸片の外面に各々引掛け係止させて、取付け板における引掛け係止片以外の部分を嵌め込み凸片の内面を含む短側板の内壁面に面接触させることにより、仕切り部材が取付け板を介して短側板の内壁面に着脱自在に装着されていることを特徴とする折り畳み容器。
【請求項２】
嵌め込み凸片の内面を短側板の内壁面と略面一状に形成してなることを特徴とする請求項１記載の折り畳み容器。
【発明の詳細な説明】
【０００１】
【発明の属する技術分野】
本発明は、折り畳み容器に関し、詳しくは折り畳み容器内部を仕切る仕切り部材を取り付ける技術に関するものである。
【０００２】
【従来の技術】
従来より、図７に示すように、矩形状の底板２と、底板２の上方に配置した上枠３と、底板２と上枠３との間の長辺側に配置した一対の長側板４と、底板２と上枠３との間の短辺側に配置した一対の短側板７とを具備し、短側板７の上端７ａを上枠３に回動自在に連結して短側板７を起倒自在とし、長側板４を上半分の上長側板５と下半分の下長側板６とで構成して上長側板５の上端５ａを上枠３に回動自在に連結すると共に、下長側板６の下端６ｂを底板２に回動自在に連結し、上長側板５の下端５ｂと上端６ａとを回動自在に連結してなる折り畳み容器１が知られている。そしてビンなどの壊れ易い収納物イを運搬する際には、振動や衝撃等から収納物イを保護するために、容器１の収納空間１１を仕切るための仕切り部材１０の取付け板１２を容器１の内壁面に動かないようにして取り付け、仕切り部材１０で仕切られた仕切り空間１１ａ内に収納物イを収納するようにしている。
【０００３】
【発明が解決しようとする課題】
上記仕切り部材１０の取り付け方法として、従来では取付け板１２を接着或いは溶着等により短側板７の内壁面に一体に固着するようにしているが、この場合、仕切り部材１０が不要なときには取り外しができず、折り畳み容器１の折り畳みができなくなるという問題がある。
【０００４】
そこで、他の従来例として、ボルトを用いて取付け板１２を取り外し可能に固定する方法が試みられているが、この場合、取付け板１２の取り付けが非常に面倒であるうえに、取り外しも非常に面倒であり、しかも仕切り部材１０の使用中にボルトの先端が取付け板１２の内側に突出して収納物イを傷付けるおそれがあった。
【０００５】
更に他の従来例として、実公平４−５３２６号公報には、マジックテープ（登録商標）を用いて仕切り部材を容器内面に着脱可能に取着する方法が開示されており、この場合、ボルトと比較して取り付け及び取り外しが容易である反面、仕切り部材とは別部体のマジックテープを必要とするため、部品数が増えてコストが高くつくうえに、仕切り部材を取り外した状態では、一方のマジックテープ（雌側或いは雄側の一方）が容器の内壁面に残り、これに汚れが付着したり、内壁面の平滑化が図れず、外観が損なわれたり、収納の妨げになるといった問題もある。
【０００６】
本発明は、上記の従来例の問題点に鑑みて発明したものであって、その目的とするところは、仕切り部材の取り付け及び取り外しが容易であり、しかも部品数が少なくて低コストで済み、また仕切り部材を使用中には収納物を十分に保護でき、さらに仕切り部材を取り外したときには容器内壁面の外観の良さと平滑化とを確保できる折り畳み容器を提供することにある。
【０００７】
【課題を解決するための手段】
上記課題を解決するために本発明にあっては、矩形状の底板２と、底板２の上方に配置した上枠３と、底板２と上枠３との間の長辺側に配置した一対の長側板４と、底板２と上枠３との間の短辺側に配置した一対の短側板７とを具備し、短側板７の上端７ａを上枠３に回動自在に連結して短側板７を起倒自在とし、長側板４を上半分の上長側板５と下半分の下長側板６とで構成して上長側板５の上端５ａを上枠３に回動自在に連結すると共に、下長側板６の下端６ｂを底板２に回動自在に連結し、上長側板５の下端５ｂと上端６ａとを回動自在に連結してなる折り畳み容器において、短側板７には横方向に所定間隔をあけて穿孔された一対の切り欠き８により互いに対向する一対の嵌め込み凸片９が形成されていると共に、嵌め込み凸片９の先端９ｂ側が基端９ａ側よりも互いに対向する方向Ａに向かって凸状に突出しており、容器１の収納空間１１を仕切るための折り畳み自在な仕切り部材１０には可撓性を有する取付け板１２が一体に設けられていると共にこの取付け板１２には取付け板１２の折り曲げ状態で短側板７の内側から上記短側板７の切り欠き８を通して一対の嵌め込み凸片９の外面９ｃに各々引掛け係止可能となった一対の引掛け係止片１３が設けられており、一対の引掛け係止片１３の先端間の距離ｄは前記短側板７に設けた一対の嵌め込み凸片９の先端９ｂ，９ｂ間の最短距離Ｌ１よりも長く設定されており、一対の引掛け係止片１３を折り曲げながら一対の嵌め込み凸片９の外面９ｃに各々引掛け係止させて、取付け板１２における引掛け係止片１３以外の部分を嵌め込み凸片９の内面９ｄを含む短側板７の内壁面７ｂに面接触させることにより、仕切り部材１０が取付け板１２を介して短側板７の内壁面７ｂに着脱自在に装着されていることを特徴としており、このように構成することで、可撓性を有する取付け板１２の折り曲げにより、取付け板１２に設けた引掛け係止片１３を短側板７の切り欠き８に通して嵌め込み凸片９に容易に引掛けることができ、その後、取付け板１２を伸ばすことによって取付け板１２を短側板７の内壁面７ｂに確実に取り付けることができ、しかも、一対の引掛け係止片１３を一対の嵌め込み凸片９の外面９ｃに各々引掛け係止させて、取付け板１２における引掛け係止片１３以外の部分を嵌め込み凸片９の内面９ｄを含む短側板７の内壁面７ｂに面接触させているので、短側板７の内壁面７ｂに対する取付け板１２の密着性、及び、嵌め込み凸片９の外面９ｃに対する引掛け係止片１３の密着性がそれぞれ得られ、取付け板１２によって仕切り部材１０の位置決め効果が得られ、取り付けをより確実に行うことができると共に、取付け板１２を意識的に折り曲げない限り、引掛け係止片１３が嵌め込み凸片９から外れることがなく、確実に取り付けることができる。また、取付け板１２を折り曲げることで引掛け係止片１３を嵌め込み凸片９から外すことができるので、短側板７から取付け板１２を容易に取り外すことができる。
【０００８】
また上記嵌め込み凸片９の内面９ｄを短側板７の内壁面７ｂと略面一状に形成するのが好ましく、この場合、仕切り部材１０を取り外したときに短側板７の内面９ｄに凹凸が生じなくなり、外観の良さと平滑面とを確保できる。
【０００９】
【発明の実施の形態】
以下、本発明を添付図面に示す実施形態に基づいて説明する。
【００１０】
本実施形態の折り畳み容器１は、図２に示すように、矩形状の底板２と、底板２の上方に配置した上枠３と、底板２と上枠３との間の長辺側に配置した一対の長側板４と、底板２と上枠３との間の短辺側に配置した一対の短側板７とを具備し、短側板７の上端７ａを上枠３に回動自在に連結して短側板７を起倒自在とし、長側板４を上半分の上長側板５と下半分の下長側板６とで構成して上長側板５の上端５ａを上枠３に回動自在に連結すると共に、下長側板６の下端６ｂを底板２に回動自在に連結し、上長側板５の下端５ｂと上端６ａとを回動自在に連結して折り畳み容器１が構成されており、ここまでは従来の折り畳み容器と同様である。
【００１１】
本発明では、仕切り部材１０を着脱自在に取着するために、上記折り畳み容器１の短側板７の中央側に、左右２個の切り欠き８が横方向に所定間隔をあけて穿孔されており、この左右２個の切り欠き８によって、互いに対向する左右２つの嵌め込み凸片９が形成されている。図２の例では、一対の切り欠き８が互いに逆向きのコ字状に形成されており、各切り欠き８の内側がそれぞれ嵌め込み凸片９となっており、嵌め込み凸片９の先端９ｂ側が基端９ａ側よりも互いに対向する方向Ａに向かって凸状に突出している。さらに、図１に示すように、上記各嵌め込み凸片９の内面９ｄは短側板７の内壁面７ｂと略面一状にそれぞれ形成されており、仕切り部材１０を取り外したときに、短側板７の内壁面７ｂに凹凸が生じないようにしてある。
【００１２】
仕切り部材１０は、図３に示すように、収納空間１１を長手方向に仕切るための２枚の縦仕切り板１５と、短手方向に仕切るための折り畳み自在な２枚の横仕切り板１６と１枚の取付け板１２とが平面から見て格子状に組み合わされていて、その内側がそれぞれ仕切り空間１１ａとなっている。ここでは、上記２枚の横仕切り板１６の各一端１８が取付け板１２の左右両端部にそれぞれ回動自在に連結されており、各他端１９が取付け板１２から遠い方の縦仕切り板１５に回動自在に連結されている。ここで、横仕切り板１６の両端１８，１９間には、第１の外折れ部２０と内折れ部１７と第２の外折れ部２１とがそれぞれ設けられており、内折れ部１７に沿って取付け板１２に近い方の縦仕切り板１５が保持されている。そして、図４（ａ）のロで示す方向に横仕切り板１６を折り畳むことで２枚の縦仕切り板１５が取付け板１２側に引き寄せられて仕切り部材１０全体が扁平形状となり、また、図４（ｂ）のハで示す方向に横仕切り板１６を展延させることによって２枚の縦仕切り板１５が取付け板１２からそれぞれ離反して縦横格子状の使用可能状態となるように構成されている。
【００１３】
ここで、上記取付け板１２は、図１（ａ）に示すように、縦仕切り板１５側に向けて凸となるように手で略Ｃ字状に折り曲げることができる可撓性を有する材料、例えば厚手の紙とか、軟質プラスチック等で形成されている。もちろん取付け板１２の材質はこれらには限定されない。
【００１４】
上記取付け板１２の左右両端部には、縦長のスリット１４がそれぞれ穿孔されており、取付け板１２におけるスリット１４よりも内側の部分（図４（ａ）の斜線で示す部分）がそれぞれ引掛け係止片１３となっている。ここで、取付け板１２の横幅Ｄ（図３）は、横仕切り板１６を展延させたときに２枚の横仕切り板１６が互いに平行となるような寸法に設定されている。また、上記２つの引掛け係止片１３の先端間の距離ｄは、前記短側板７に設けた左右一対の嵌め込み凸片９の先端９ｂ間の最短距離Ｌ１よりも長く、且つ嵌め込み凸片９の基端９ａ間の最大距離Ｌ２よりも短く設定されている。そして、取付け板１２を縦仕切り板１５側に凸となるように折り曲げたときには、各引掛け係止片１３の先端間の距離ｄは前記嵌め込み凸片９の先端間の最短距離Ｌ１と略同じ或いはそれよりも短くなって、スリット１４から嵌め込み凸片９の先端９ｂが嵌まり込むことができ、これにより、引掛け係止片１３を嵌め込み凸片９の外面９ｃに引掛け係止させることができ、取付け板１２と一体の仕切り部材１０を短側板７の内壁面７ｂに着脱自在に装着できるようになっている。
【００１５】
すなわち、仕切り部材１０を短側板７に取り付けるにあたっては、先ず取付け板１２を手で縦仕切り板１５側に向けて凸となるように略Ｃ字状に折り曲げながら（図１（ａ）の状態）、取付け板１２の左右２つの引掛け係止片１３の先端を短側板７の左右２つの切り欠き８にそれぞれ通し、その後、略Ｃ字状に屈曲している取付け板１２を短側板７側に押して取付け板１２を元のフラットな状態に戻すことにより、引掛け係止片１３が嵌め込み凸片９の外面９ｃをスライドしながら引掛け係止されるようになり（図１（ｂ）の状態）、取付け板１２を短側板７の内壁面７ｂに対して容易且つ確実に取り付けることができ、結果として、取付け板１２と一体の仕切り部材１０を短側板７に容易に取り付けることができる。
【００１６】
また、仕切り部材１０を取り外すときは、取付け板１２を図１（ａ）のように略Ｃ字状に折り曲げることにより、引掛け係止片１３を嵌め込み凸片９から取り外すことができ、結果として取付け板１２を簡単に短側板７から取り外すことができる。
【００１７】
このように、引掛け係止片１３を嵌め込み凸片９の外面９ｃに引掛ける方式を採用したことによって、仕切り部材１０の取り付け、取り外しが容易となり、従来のようなボルトやマジックテープによる固定方法とは異なり、仕切り部材１０と別体の部材を一切必要とせず、コストの低減を図ることができると共に、着脱を手作業で簡易に行うことができるので、使い勝手が向上する。そのうえ、仕切り部材１０の使用中にはボルトによる収納物イの傷付け等も発生しないので、収納物イを十分に保護しながら収納できるようになる。また、取付け板１２は仕切り部材１０と一体に取り外されるために、容器１の内壁面に従来のようなマジックテープ等が残らず、従って容器１の内壁面がマジックテープによる汚れの付着もなく、さらに、嵌め込み凸片９の内面９ｄを短側板７の内壁面７ｂと略面一状に形成してあるので、取付け板１２を取り外した後では、短側板７の内面９ｄに凹凸が生じなくなり、通常の折り畳み容器の場合と同様、容器１の内壁面の外観の良さと平滑化とを同時に確保できるものとなる。
【００１８】
さらに、取付け板１２にスリット１４を設けることで引掛け係止片１３を形成しているので、引掛け係止片１３の形成が容易であると共に、取付け板１２の一部を引掛け係止片１３として兼用できるので、部品点数が増加せず、しかも、取付け板１２を短側板７の外側及び内側にそれぞれ突出しないようにして取り付けることができるので、取り付けの確実性に加えて外観の良さも同時に得られるようになる。つまり、２つの嵌め込み凸片９はその基端９ａ側よりも先端９ｂ側が互いに対向する方向Ａに凸状に突出するように形成してあるので、取付け板１２を意識的に折り曲げない限り、引掛け係止片１３が嵌め込み凸片９から外れることがなく、確実に取り付けることができる。しかも、引掛け係止片１３を嵌め込み凸片９の外面９ｃに係止させた状態では、取付け板１２における引掛け係止片１３以外の部分が嵌め込み凸片９の内面９ｄを含む短側板７の内壁面７ｂに面接触することにより、短側板７の内壁面７ｂに対する取付け板１２の密着性、及び、嵌め込み凸片９の外面９ｃに対する引掛け係止片１３の密着性がそれぞれ得られるので、取付け板１２によって仕切り部材１０の位置決め効果が得られ、取り付けをより確実に行うことができる。
【００１９】
なお本例では、左右に対向する２つの嵌め込み凸片９に、取付け板１２の左右両端部に設けた引掛け係止片１３を各々嵌め込むようにしたが、必ずしもこれに限定されず、例えば図５（ａ）に示すように、上下に対向する２つの嵌め込み凸片９を設けるようにしてもよい。この場合、取付け板１２の上下両端部を引掛け係止片として使用すればよい。また、嵌め込み凸片９及び引掛け係止片１３の数は適宜変更可能であり、例えば図５（ｂ）に示すように、左右２つの嵌め込み凸片９を１組として、上下に複数組の嵌め込み凸片９を短側板７に形成し、この嵌め込み凸片９と同数の引掛け係止片１３を取付け板１２に設けるようにしてもよいものであり、或いは図５（ｃ）に示すように、左右に複数組の嵌め込み凸片９を形成してもよいものであり、いずれの場合も、短側板７に対する取付け板１２の係止箇所が増加して、仕切り部材１０の取り付け強度をより高めることができるようになる。
【００２０】
また、嵌め込み凸片９を形成するための切り欠き８の形状は必ずしもコ字状に限られず、例えば図６（ａ）に示す半円弧状、或いは図６（ｂ）に示す横Ｖ字状、図６（ｃ）に示す横Ｗ字状等であってもよく、要は、嵌め込み凸片９の基端９ａ側よりも先端９ｂ側が互いに対向する方向Ａに凸状に突出するようになっていればよいものである。
【００２１】
前記実施形態では、片方の短側板７のみに仕切り部材１０を着脱自在に取り付ける場合を説明したが、もちろん、両方の短側板７にそれぞれ切り欠き８による嵌め込み凸片９を設けることで、２つの仕切り部材１０を各短側板７にそれぞれ着脱自在に取り付けることも可能である。この場合、仕切り部材１０が増えることで容器１の収納空間１１全体をほぼ均等に仕切ることが容易となる。もちろん、１つの仕切り部材１０で収納空間１１全体をほぼ均等に仕切るようにしてもよい。
【００２２】
【発明の効果】
上述のように請求項１記載の発明にあっては、矩形状の底板と、底板の上方に配置した上枠と、底板と上枠との間の長辺側に配置した一対の長側板と、底板と上枠との間の短辺側に配置した一対の短側板とを具備し、短側板の上端を上枠に回動自在に連結して短側板を起倒自在とし、長側板を上半分の上長側板と下半分の下長側板とで構成して上長側板の上端を上枠に回動自在に連結すると共に、下長側板の下端を底板に回動自在に連結し、上長側板の下端と上端とを回動自在に連結してなる折り畳み容器において、短側板には横方向に所定間隔をあけて穿孔された一対の切り欠きにより互いに対向する一対の嵌め込み凸片が形成されていると共に、嵌め込み凸片の先端側が基端側よりも互いに対向する方向に向かって凸状に突出しており、容器の収納空間を仕切るための折り畳み自在な仕切り部材には可撓性を有する取付け板が一体に設けられていると共にこの取付け板には取付け板の折り曲げ状態で短側板の内側から上記短側板の切り欠きを通して一対の嵌め込み凸片の外面に各々引掛け係止可能となった一対の引掛け係止片が設けられており、一対の引掛け係止片の先端間の距離は前記短側板に設けた一対の嵌め込み凸片の先端間の最短距離よりも長く設定されており、一対の引掛け係止片を折り曲げながら一対の嵌め込み凸片の外面に各々引掛け係止させて、取付け板における引掛け係止片以外の部分を嵌め込み凸片の内面を含む短側板の内壁面に面接触させることにより、仕切り部材が取付け板を介して短側板の内壁面に着脱自在に装着されているので、可撓性を有する取付け板の折り曲げにより、取付け板に設けた引掛け係止片を短側板の切り欠きに通して嵌め込み凸片に容易に引掛けることができ、その後、取付け板を伸ばすことによって短側板の内壁面に確実に取り付けることができ、しかも、一対の引掛け係止片を一対の嵌め込み凸片の外面に各々引掛け係止させて、取付け板における引掛け係止片以外の部分を嵌め込み凸片の内面を含む短側板の内壁面に面接触させているので、短側板の内壁面に対する取付け板の密着性、及び、嵌め込み凸片の外面に対する引掛け係止片の密着性がそれぞれ得られ、取付け板によって仕切り部材の位置決め効果が得られ、取り付けをより確実に行うことができると共に、取付け板を意識的に折り曲げない限り、引掛け係止片が嵌め込み凸片から外れることがなく、確実に取り付けることができる。また、取付け板を折り曲げることで引掛け係止片を嵌め込み凸片から外すことができるので、仕切り部材を容易に取り外すことができる。従って、従来のような接着或いは溶着等による固着方法のように折り畳み容器の折り畳みができなくなるという問題はなく、さらに他の従来のようなボルトやファスナー等による固定方法とは異なり、他の部材を一切必要とせず、コストを低減できるうえに、仕切り部材の着脱を手作業で簡易に行えるので使い勝手が向上し、さらに仕切り部材の使用中には従来のようなボルトによる収納物の傷付け等が発生しないので、収納物を十分に保護しながら収納できるものであり、仕切り部材を取り外した後には、取付け板も一緒に取り外されるため、容器の内壁面の外観性を向上させることができる。
【００２３】
また請求項２記載の発明は、請求項１記載の効果に加えて、嵌め込み凸片の内面を短側板の内壁面と略面一状に形成したので、仕切り部材を取り外したときに短側板の内面に凹凸が生じなくなり、これにより通常の折り畳み容器の場合と同様、外観の良さと平滑面とを確保できるものである。
【図面の簡単な説明】
【図１】本発明の実施形態の一例を示し、（ａ）（ｂ）は仕切り部材を短側板に取り付ける動作説明図である。
【図２】同上の折り畳み容器から仕切り部材を取り外した状態の斜視図である。
【図３】同上の折り畳み容器内に仕切り部材を取り付けた状態の一部破断斜視図である。
【図４】（ａ）は同上の仕切り部材の折り畳み状態を示す斜視図、（ｂ）は展延状態を示す斜視図である。
【図５】（ａ）〜（ｃ）は同上の切り欠きの配置の変形例の説明図である。
【図６】（ａ）〜（ｃ）は同上の切り欠きの形状の変形例の説明図である。
【図７】従来例の折り畳み容器内に仕切り部材を取り付けた状態の一部破断斜視図である。
【符号の説明】
１  折り畳み容器
２  底板
３  上枠
４  長側板
５  上長側板
６  下長側板
７  短側板
７ａ  内壁面
８  切り欠き
９  嵌め込み凸片
９ａ  基端
９ｂ  先端
９ｂ  外面
９ｄ  内面
１０  仕切り部材
１１  収納空間
１２  取付け板
１３  引掛け係止片
Ａ  対向する方向
【図１】
0003649377.tif 000002
【図２】
0003649377.tif 000003
【図３】
0003649377.tif 000004
【図４】
0003649377.tif 000005
【図５】
0003649377.tif 000006
【図６】
0003649377.tif 000007
【図７】
0003649377.tif 000008